(57)【要約】【課題】  本発明は、流量測定を中断することなく、パラメータ情報の読み取りが容易に行える電磁流量計のパラメータ情報の読み取り方法を提供することを目的とする。【解決手段】  電磁流量計の電磁流量計変換器は、パラメータ情報を表示する表示部と、パラメータ情報を記憶する記憶部と、表示部と、さらに、ＱＲコード読み取り装置と、保守装置と、を備え、表示部からパラメータ情報の表示を要求する予め登録されたパスワードを入力し、一致している場合は、全てのパラメータ情報をＱＲコードに変換して、表示部のフルドットマトリックスＬＣＤに画面として表示させ、ＱＲコード読み取り装置は、読み取ったＱＲコード画像をデコードしてパラメータ情報を抽出して保守装置に送信し、保守装置は、送信されたパラメータ情報を表示させるとともに記憶させるようにしたことを特徴とする電磁流量計のパラメータ情報の取得方法。【選択図】図２
2017020878.tif 000002
【特許請求の範囲】
【請求項１】
測定管を流れる被測定流体に磁界を印加して流速に比例した検出信号を生成し、この検出信号と流量を求めるため予め設定されるパラメータとから被測定流体の流量を求める電磁流量計において、当該電磁流量計は、前記パラメータと前記検出信号とから流量を求める電磁流量計変換器を備え、
前記電磁流量計変換器は、前記流量を求める流量演算処理部と、前記パラメータを設定し、求めた流量を表示する表示部と、前記パラメータを含む機器の保守管理情報をパラメータ情報として記憶する記憶部と、を備え、
前記表示部は、前記パラメータ情報と前記流量を表示するフルドットマトリックスＬＣＤと、前記パラメータ情報を入力する設定入力部と、を備え、
前記流量演算処理部は、流量を求める演算を行うとともに、前記表示部に表示させるパスワード入力が予め登録されたパスワードであるか否かを判定する演算処理部と、前記演算処理部から前記パラメータ情報の読み出し要求で、前記記憶部から前記パラメータ情報を読み出すパラメータ処理部と、前記パラメータ処理部が読み出した前記パラメータ情報を予め設定されるＱＲコードに変換するＱＲコード処理部と、ＱＲコードに変換された前記パラメータ情報を前記フルドットマトリックスＬＣＤに表示させるための表示処理部と、前記設定入力部で設定された前記パラメータ情報の設定信号を処理する設定入力処理部と、を備え、
前記パラメータ情報の表示を要求する場合には、前記設定入力部からパスワードを入力し、前記表示処理部は、このパスワードを前記フルドットマトリックスＬＣＤに表示させるとともに前記演算処理部に送信し、
前記演算処理部は、表示されたパスワードが予め登録されたパスワードと一致しているか否かを判定し、前記表示処理部に返信して一致／不一致の結果を前記フルドットマトリックスＬＣＤに表示させ、
前記演算処理部は、一致している場合には、前記パラメータ処理部に前記パラメータ情報の読み出しを指示し、
前記パラメータ処理部は、前記記憶部にアクセスして読みだした前記パラメータ情報を前記ＱＲコード処理部に送信し、
前記ＱＲコード処理部は、全ての前記パラメータ情報を前記ＱＲコードに変換して、前記表示処理部に送信し、
前記表示処理部は、前記ＱＲコードを前記フルドットマトリックスＬＣＤに画面として表示させる、ようにしたことを特徴とする電磁流量計。
【請求項２】
測定管を流れる被測定流体に磁界を印加して流速に比例した検出信号を生成し、この検出信号と流量を求めるため予め設定されるパラメータとから被測定流体の流量を求める電磁流量計において、当該パラメータと当該電磁流量計の機器の保守管理情報とを含むパラメータ情報の取得方法であって、
前記電磁流量計は、前記パラメータ情報と前記検出信号とから流量を求める電磁流量計変換器を備え、前記電磁流量計変換器は、前記流量を求める流量演算処理部と、前記パラメータ情報を設定し、求めた流量を表示する表示部と、前記パラメータ情報を記憶する記憶部と、を備え、
前記表示部は、前記パラメータ情報と前記流量を表示するフルドットマトリックスＬＣＤと、前記パラメータ情報を入力する設定入力部と、を備え、
さらに、前記フルドットマトリックスＬＣＤに表示されたＱＲコード化されたパラメータ情報の画像を読み取り、デコードして送信するＱＲコード読み取り装置と、
前記ＱＲコード読み取り装置から送信された前記パラメータ情報を記憶させる保守装置と、を備え、
前記パラメータ情報の表示を要求する要求する場合には、前記設定入力部からパスワードを入力し、前記流量演算処理部は、入力されたこのパスワードを前記フルドットマトリックスＬＣＤに表示させるとともに、このパスワードが予め登録されたパスワードと一致しているか否かを判定し、一致／不一致の結果を前記フルドットマトリックスＬＣＤに表示させ、
前記流量演算処理部は、一致している場合は、前記パラメータ情報を前記記憶部から読み出し、読みだした全ての前記パラメータ情報を前記ＱＲコードに変換して、前記表示部に送信し、
前記表示部は、前記ＱＲコードを前記フルドットマトリックスＬＣＤに画面として表示させ、
前記ＱＲコード読み取り装置は、前記フルドットマトリックスＬＣＤに表示されたＱＲコードの画像を読み取り、読み取った前記ＱＲコード画像をデコードして前記パラメータ情報を抽出して前記保守装置に送信し、
前記保守装置は、前記読み取り装置から送信された前記パラメータ情報を表示させるとともに記憶させ、
前記電磁流量計変換器に記憶されたパラメータ情報をＱＲコード化して画像としで表示させ、表示されたＱＲコード画像を一度で読み取り読み取ったＱＲコード画像をデコードして前記パラメータ情報を抽出して転送するようにしたことを特徴とする電磁流量計のパラメータ情報の取得方法。
【請求項３】
前記ＱＲコード読み取り装置は、前記ＱＲコード画面の撮像機能、ＱＲコードのデコード機能、及び転送機能を備えた多機能携帯端末であることを特徴とする請求項２に記載の電磁流量計のパラメータ情報の取得方法。
【発明の詳細な説明】
【技術分野】
【０００１】
本発明は、電磁流量計の流量演算を求めるために予め設定されるパラメータ情報の取得方法に関し、特に、パラメータ情報の読み取り方法を改善した電磁流量計、及びそのパラメータ情報の取得方法に関する。
【背景技術】
【０００２】
電磁流量計は、予め設定される口径の両端部電極を設けて被測定液を流して電極間で流量信号を検出する検出器と、検出器で得られた流量信号を増幅及び演算して流量を求める変換器とを備える。
【０００３】
電磁流量計の変換器では、流量測定に必要な各種のパラメータを設定するが、近年、電磁流量計のインテリジェント化に伴い、パラメータや機器を管理する保守管理情報等のパラメータ情報のデータ量が増大している(例えば、特許文献１参照。)。
【０００４】
一般的には、電磁流量計は、これらのパラメータ情報を内部メモリに保存しておき、この装置のオペレータや保守員は電磁流量計の変換器の表示部に装備されている押しボタンスイッチや赤外線スイッチ、及びＬＣＤ表示器等でこれらのパラメータ情報を読み出したり、そのパラメータ情報の設定値を変更したりする操作を行う。
【０００５】
また、最近の電磁流量計では各種のフィールドバス等の通信機能を備え、通信を介してパラメータ情報の読み出しや設定を行っている(例えば。特許文献２参照。)。
【先行技術文献】
【特許文献】
【０００６】
【特許文献１】特開平２−２６２０１０号公報
【特許文献２】特許第５５３１７８６号公報
【発明の概要】
【発明が解決しようとする課題】
【０００７】
電磁流量計の検出器は、取り付けられる相手配管の内径により様々な口径のものが用意されている。この口径の値はパラメータ情報として変換器の内部メモリに保存される。また、測定レンジの値や測定値の表示単位、流量積算レートの値等も内部メモリに保存される。
【０００８】
これらのパラメータ情報は、一般に顧客の要求により設置場所毎に異なるので、保守管理する上で、設置場所毎に異なるパラメータ情報の履歴を記録しておくことが要求される。
【０００９】
この手段として、保守員が、表示部に設けられるスイッチを操作してパラメータを表示させ、記録用紙に転記したり、パラメータ情報を通信により一括で読み出したりしている。
【００１０】
しかしながら、記録用紙に転記する方法は、設置場所の作業環境から人為的なミスで記録誤りが発生する恐れがある。また、通信による読み取りの場合は、一般に、パラメータ情報毎に読み出しコマンドが異なるため、パラメータ情報の個数分、複数回のコマンド要求を変換器に対して行う必要があり、パラメータ情報の数に比例して通信に必要な時間が増加する問題がある。
【００１１】
そのため、流量測定の測定周期（例えば、１秒など）内で、パラメータ情報の読み取りが完了せず、流量測定や読み取りのための通信を中断する恐れがあるので、この流量計の出力で制御を行っている場合には、制御の応答を劣化させる恐れがある。
【００１２】
また、通信機能を標準で搭載していない変換器場合はこの手段を実現できない問題もある。
【００１３】
本発明は上述した問題点を解決するためになされたもので、流量測定を中断することなく、パラメータ情報の読み取りが容易に行える電磁流量計、及びパラメータ情報の読み取り方法を提供することを目的とする。
【課題を解決するための手段】
【００１４】
上記目的を達成するために、実施形態の電磁流量計は、測定管を流れる被測定流体に磁界を印加して流速に比例した検出信号を生成し、この検出信号と流量を求めるため予め設定されるパラメータとから被測定流体の流量を求める電磁流量計において、当該電磁流量計は、前記パラメータと前記検出信号とから流量を求める電磁流量計変換器を備え、前記電磁流量計変換器は、前記流量を求める流量演算処理部と、前記パラメータを設定し、求めた流量を表示する表示部と、前記パラメータを含む機器の保守管理情報をパラメータ情報として記憶する記憶部と、を備え、前記表示部は、前記パラメータ情報と前記流量を表示するフルドットマトリックスＬＣＤと、前記パラメータ情報を入力する設定入力部と、を備え、前記流量演算処理部は、流量を求める演算を行うとともに、前記表示部に表示させるパスワード入力が予め登録されたパスワードであるか否かを判定する演算処理部と、前記演算処理部から前記パラメータ情報の読み出し要求で、前記記憶部から前記パラメータ情報を読み出すパラメータ処理部と、前記パラメータ処理部が読み出した前記パラメータ情報を予め設定されるＱＲコードに変換するＱＲコード処理部と、ＱＲコードに変換された前記パラメータ情報を前記フルドットマトリックスＬＣＤに表示させるための表示処理部と、前記設定入力部で設定された前記パラメータ情報の設定信号を処理する設定入力処理部と、を備え、前記パラメータ情報の表示を要求する場合には、前記設定入力部からパスワードを入力し、前記表示処理部は、このパスワードを前記フルドットマトリックスＬＣＤに表示させるとともに前記演算処理部に送信し、前記演算処理部は、表示されたパスワードが予め登録されたパスワードと一致しているか否かを判定し、前記表示処理部に返信して一致／不一致の結果を前記フルドットマトリックスＬＣＤに表示させ、前記演算処理部は、一致している場合には、前記パラメータ処理部に前記パラメータ情報の読み出しを指示し、前記パラメータ処理部は、前記記憶部にアクセスして読みだした前記パラメータ情報を前記ＱＲコード処理部に送信し、前記ＱＲコード処理部は、全ての前記パラメータ情報を前記ＱＲコードに変換して、前記表示処理部に送信し、前記表示処理部は、前記ＱＲコードを前記フルドットマトリックスＬＣＤに画面として表示させる、ようにしたことを特徴とする。
【００１５】
上記目的を達成するために、実施例の電磁流量計のパラメータ情報の取得方法は、測定管を流れる被測定流体に磁界を印加して流速に比例した検出信号を生成し、この検出信号と流量を求めるため予め設定されるパラメータとから被測定流体の流量を求める電磁流量計において、当該パラメータと当該電磁流量計の機器の保守管理情報とを含むパラメータ情報の取得方法であって、前記電磁流量計は、前記パラメータ情報と前記検出信号とから流量を求める電磁流量計変換器を備え、前記電磁流量計変換器は、前記流量を求める流量演算処理部と、前記パラメータ情報を設定し、求めた流量を表示する表示部と、前記パラメータ情報を記憶する記憶部と、を備え、前記表示部は、前記パラメータ情報と前記流量を表示するフルドットマトリックスＬＣＤと、前記パラメータ情報を入力する設定入力部と、を備え、さらに、前記フルドットマトリックスＬＣＤに表示されたＱＲコード化されたパラメータ情報の画像を読み取り、デコードして送信するＱＲコード読み取り装置と、前記ＱＲコード読み取り装置から送信された前記パラメータ情報を記憶させる保守装置と、を備え、前記パラメータ情報の表示を要求する要求する場合には、前記設定入力部からパスワードを入力し、前記流量演算処理部は、入力されたこのパスワードを前記フルドットマトリックスＬＣＤに表示させるとともに、このパスワードが予め登録されたパスワードと一致しているか否かを判定し、一致／不一致の結果を前記フルドットマトリックスＬＣＤに表示させ、前記流量演算処理部は、一致している場合は、前記パラメータ情報を前記記憶部から読み出し、読みだした全ての前記パラメータ情報を前記ＱＲコードに変換して、前記表示部に送信し、前記表示部は、前記ＱＲコードを前記フルドットマトリックスＬＣＤに画面として表示させ、前記ＱＲコード読み取り装置は、前記フルドットマトリックスＬＣＤに表示されたＱＲコードの画像を読み取り、読み取った前記ＱＲコード画像をデコードして前記パラメータ情報を抽出して前記保守装置に送信し、前記保守装置は、前記読み取り装置から送信された前記パラメータ情報を表示させるとともに記憶させ、前記電磁流量計変換器に記憶されたパラメータ情報をＱＲコード化して画像としで表示させ、表示されたＱＲコード画像を一度で読み取り読み取ったＱＲコード画像をデコードして前記パラメータ情報を抽出して転送するようにしたことを特徴とする。
【図面の簡単な説明】
【００１６】
【図１】本実施形態の電磁流量計変換器の構成を説明するブロック構成図。
【図２】本実施形態の電磁流量計変換器のパラメータ情報の取得動作を説明するフローチャート。
【図３】本実施形態の電磁流量計の構成図。
【発明を実施するための形態】
【００１７】
図１乃至図３を参照して、実施形態の電磁流量計について説明する。先ず、図１を参照して、本実施形態の電磁流量計の構成について説明する。
【００１８】
本実施形態の電磁流量計は、測定管を流れる被測定流体に磁界を印加して流速に比例した検出信号を生成し、この検出信号と予め流量を求めるためのパラメータとから被測定流体の流量を求める。電磁流量計は、検出信号とこのパラメータとから流量を求める電磁流量計変換器１００を備える。
【００１９】
電磁流量計変換器１００は、検出信号を入力する流量信号入力部１１とＡ／Ｄ変換部１２とから構成される前処理部１と、前処理部１でデジタル化された流量信号から流量を求める流量演算処理部２と、パラメータを含む機器管理情報をパラメータ情報として記憶する、不揮発性メモリで構成される記憶部３と、被測定流体の流量の異常値や、自己診断機能による異常値などの出力を外部に警報出力する入出力インタフェース部４と、パラメータ情報を設定し求めた流量を表示する表示部５と、を備える。
【００２０】
次に、各部の構成について説明する。表示部５は、流量演算処理部２で処理された流量と、パラメータ情報とを表示するフルドットマトリックスＬＣＤ１５と、パラメータ情報を入力する設定入力部１６と、を備える。
【００２１】
流量演算処理部２は、流量を求める演算を行うとともに、表示部５に表示させるためのパスワード入力が予め登録されたパスワードであるか否かを判定する演算処理部２２と、演算処理部２２からパラメータ情報のコード変換の要求を受けて記憶部３からパラメータ情報を読み出すパラメータ処理部２３と、パラメータ処理部２３が読み出したパラメータ情報から予め設定されるＱＲコード（登録商標）に変換するＱＲコード処理部２４と、ＱＲコードに変換されたパラメータ情報をフルドットマトリックスＬＣＤ１５に表示させるための表示処理部２６と、設定入力部１６で設定されたパラメータ情報の設定信号を処理する設定入力処理部２７と、演算処理部２２が処理した入出力信号をインタフェースする入出力処理部２８とを備える。
【００２２】
尚、ＱＲコードのＩＳＯ規格は、ＩＳＯ／ＩＥＣ１８００４に準じたものである。
【００２３】
また、流量演算処理部２は、上述した各部の機能を予めプログラムされたソフトウェアで処理するＰＬＣで構成することも可能である。
【００２４】
次に、流量演算処理部２の処理動作を説明する前に、各部の詳細仕様について説明しておく。
【００２５】
先ず、パラメータ情報とその設定について説明する。電磁流量計のパラメータ情報の個々の定義についての説明は本実施形態の趣旨に関与しないのでその詳細を省略する。被測定流体を流す電磁流量計の測定管の口径、印加する励磁コイルに流す励磁電流、その周波数、また、流量出力の単位、表示桁数などがある。
【００２６】
また、流量の表示単位、流量の測定レンジ、出力のダンピング定数、入出力のパルスレートなどがある。その他、被測定流体の流量上下限警報値、流体抜けなどの警報値、自己診断警報なども含まれる。さらに、機器のシリアル番号、ＴＧＧ番号、機器コードなどの保守管理情報もある。
【００２７】
このようなパラメータ情報は、予め設定され記憶部３に記憶されるが、通常、保守点検時にその情報が記録されるものであるが、流量の測定中に読み出しや記録を要求される場合もある。
【００２８】
フルドットマトリックスＬＣＤ１５は、これらのパラメータ情報の全てを、一つのＱＲコード画像として表示させることが可能なものを選択しておく。
【００２９】
例えば、125×125ドットのＱＲコードは最大1,468 Byteの情報量を含めることができるので、パラメータ情報が浮動小数点型(IEEE794形式)の場合では367個のパラメータ情報を含めることが可能で、市販されている電磁流量計については、そのパラメータを一括表示させることが可能である。
【００３０】
次に、このように構成された流量演算処理部２のパラメータ情報の処理動作について、図２を参照して説明する。
【００３１】
図２は、流量演算処理部２が予め設定されたパラメータ情報を記憶部３から抽出して、表示部５のフルドットマトリックスＬＣＤ１５に二次元バーコードであるＩＳＯ規格、ＩＳＯ１８００４のＱＲコードの画像として表示させるまでの処理動作をフローチャートにしたものである。
【００３２】
先ず、保守員等がパラメータ情報の表示を要求する場合は、設定入力部１６からパスワードを入力する。この入力信号を、設定入力処理部２７を介して受信した表示処理部２６は、入力されたパスワードをフルドットマトリックスＬＣＤ１５に表示させるとともに、演算処理部２２に送信する（ステップｓ１）。
【００３３】
演算処理部２２は、表示されたパスワードが予め登録されたパスワードと一致しているか否かを判定し、一致／不一致の結果を表示処理部２６に返信してフルドットマトリックスＬＣＤ１５に表示させる（ステップｓ２）。
【００３４】
演算処理部２２は、不一致の場合にはその結果を、表示処理部２６を介してフルドットマトリックスＬＣＤ１５に表示させ、次のパスワード入力を待つ（ステップｓ３−ｎ）。
【００３５】
演算処理部２２は、一致している場合は、パラメータ処理部２３にパラメータ情報の読み出しを指示し、パラメータ処理部２３は、記憶部３にアクセスして読みだしたパラメータ情報をＱＲコード処理部２４に送る（ステップｓ３―ｙ）。
【００３６】
ＱＲコード処理部２４は、全てのパラメータ情報をＱＲコードに変換して、表示処理部２６に送信する（ステップｓ４）。
【００３７】
そして、表示処理部２６は、ＱＲコードを前記フルドットマトリックスＬＣＤ１５に画面として表示させる（ステップｓ５）。
【００３８】
このような処理において、演算処理部２２での流量演算の周期に遅れが生じる恐れがある場合には、ＱＲコード処理部２４は、並列演算が可能な構成とすとしておく。
【００３９】
次に、このように構成された電磁流量計変換器１００を使用して、パラメータ情報を外部の保守装置に転送する場合の実施形態について図３を参照して説明する。
【００４０】
電磁流量計５００は、パラメータ情報と検出信号とから流量を求める電磁流量計変換器１００を備え、電磁流量計変換器１００は、図示しない流量を求める流量演算処理部２と、パラメータ情報を設定し、求めた流量を表示する表示部５と、図示しないパラメータ情報を記憶する記憶部３と、を備える。
【００４１】
表示部５には、図１に示したパラメータ情報と流量とを表示するフルドットマトリックスＬＣＤ１５と、パラメータ情報を入力する設定入力部１６と、を備える。
【００４２】
そして、フルドットマトリックスＬＣＤ１５に表示されたパラメータ情報を読み取り、読み取ったＱＲコードをデコードして送信するＱＲコード読み取り装置２００と、ＱＲコード読み取り装置２００から送信されたパラメータ情報を記憶させる保守装置３００と、を備える。
【００４３】
次に、各部の構成について説明する。ＱＲコード読み取り装置２００は、例えば、ハンドヘルドターミナルや、ＰＤＡ，市販のスマートフォン等のＱＲコード画面の撮像機能、ＱＲコードのデコード機能、及び転送機能を備えた多機能携帯端末であれば何れでもよい。
【００４４】
また、保守装置３００は、通信機能を備えた市販のパーソナルコンピュータが使用可能である。
【００４５】
例えば、携帯電話機の一形態であるスマートフォンの場合、フルドットマトリックスＬＣＤ１５に表示されたＱＲコード画像をスキャンしたパラメータ情報をデコードし、無線ＬＡＮや広域ネットワークに接続された市販のパーソナルコンピュータ等の保守装置３００に送信可能で、容易にデータベース化することができる。
【００４６】
したがって、保守装置３００が近くにない場所のエリアでもＱＲコードのデコード（スキャン）が可能である。
【００４７】
また、スマートフォンを使用する場合、出荷時の記録以外にも利用できる効果がある。例えば、人が立ち入りにくい高所は暗所におかれた、通信機能を備えない電磁流量計の定期点検の場合でも、一度の撮像によりすべてのパラメータ情報を読み取ることが可能で、読み取ったパラメータ情報を移動、転送することが可能である。
【００４８】
また、フルドットマトリックスＬＣＤ１５に表示されたＱＲコード画像市販のデジタルカメラで撮影しておき、後日カメラの撮影データをデータベース化する形態でも可能である。
【００４９】
次に、このように構成された電磁流量計５００は、被測定流体の流量を求める電磁流量計５００のパラメータと電磁流量計５００の機器管理情報とを含むパラメータ情報を、保守装置３００に転送する処理動作について、再び図１〜図３を参照して説明する。
【００５０】
先ず、パラメータ情報の表示を要求する場合は、設定入力部１６からパスワードを入力し、流量演算処理部２は、入力されたこのパスワードをフルドットマトリックスＬＣＤ１５に表示させ、このパスワードが予め登録されたパスワードと一致しているか否かを判定し、一致／不一致の結果をフルドットマトリックスＬＣＤ１５に表示させる。
【００５１】
流量演算処理部２は、不一致の場合にはその結果を、表示処理部２６を介してフルドットマトリックスＬＣＤ１５に表示させ、次のパスワード入力を待つ。一致している場合は、パラメータ情報を読み出し、読みだしたパラメータ情報をＱＲコードに変換して、表示部５に送信し、表示部５は、ＱＲコードをフルドットマトリックスＬＣＤ１５に画面として表示させる。
【００５２】
ＱＲコード読み取り装置２００は、フルドットマトリックスＬＣＤ１５に表示されたＱＲコード画像を読み取り、読み取ったＱＲコード画像をデコードしてパラメータ情報を抽出して保守装置３００に送信する。
【００５３】
そして、保守装置３００は、ＱＲコード読み取り装置２００から送信されたパラメータ情報を表示させるとともに自装置内の記憶部に記憶させる。
【００５４】
ＱＲコード読み取りした、デコードされた全パラメータ情報はテキスト形式で表示されるので、これを保守情報として記録しても良いし、ＣＳＶファイルとして表計算ソフト上で管理することも可能である。
【００５５】
このような実施形態のパラメータ情報の読み取り方法に依れば、電磁流量計変換器に記憶されたパラメータ情報をＱＲコード化して画像とし、表示されたＱＲコード画像を一度で全パラメータ情報を読み取り、読み取ったＱＲコード画像をデコードしてパラメータ情報を抽出して転送することができる。
【００５６】
以上説明したように、本実施形態の電磁流量計のパラメータ情報の読み取り方法に依れば、パラメータ情報を記録する場合の人為的なミスがなくなり、また、作業時間も短縮することができる。
【００５７】
また、本実施形態の電磁流量計に依れば、全てのパラメータ情報はＱＲコードの画像を外部の多機能携帯電話機で通信機能を介さず読み取り可能で、全てのパラメータ情報を流量測定の周期に影響を与えることなくパラメータ情報を抽出することが可能である。
【００５８】
以上のべたように、本実施形態の電磁流量計、そのパラメータ情報の取得方法は、電磁流量計の流量測定を中断することなく、パラメータ情報の読み取りが容易に行える電磁流量計、及びパラメータ情報の取得方法を提供することができる。
【００５９】
本発明のいくつかの実施形態を説明したが、これらの実施形態は、例として提示したものであり、発明の範囲を限定することは意図していない。これら新規な実施形態は、そのほかの様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１  前処理部
２  流量演算処理部
３  記憶部（不揮発性メモリ）
４  入出力インタフェース部
５  表示部
１５  フルドットマトリックスＬＣＤ
１６  設定入力部
２２  演算処理部
２３  パラメータ処理部
２４  ＱＲコード処理部
２６  表示処理部
２７  設定入力処理部
２８  入出力処理部
１００  電磁流量計変換器
２００  ＱＲコード読み取り装置
３００  保守装置
５００  電磁流量計
【図１】
2017020878.tif 000003
【図２】
2017020878.tif 000004
【図３】
2017020878.tif 000005